(57)【特許請求の範囲】
【請求項１】
前方から相手側コネクタを嵌入させる嵌合凹部を有するハウジングと、
前端のタブを前記嵌合凹部内で前方に突出させた状態で前記ハウジング内に設けられた雄端子金具と、
前記タブを貫通させる位置決め孔を有し、前記嵌合凹部内において前記位置決め孔を前記タブの前端部に嵌合させることでそのタブを位置決めする初期位置と、この初期位置よりも後方であって前記位置決め孔を前記タブの基端部に嵌合させる嵌合位置との間で前記嵌合凹部の左右両側面のガイド溝によって案内されつつ移動し得るように設けられたムービングプレートと、
前記ムービングプレートを初期位置側へ付勢する復帰バネとを有し、
前記相手側コネクタが嵌合する過程では、前記相手側コネクタが、前記復帰バネを弾性撓みさせつつ初期位置の前記ムービングプレートを嵌合位置へ押し動かし得るようになっているものにおいて、
前記ムービングプレートが前記復帰バネの一端部に対し一体的に移動し得るように設けられ、
前記復帰バネの他端部と一体となって、復帰位置とこの復帰位置よりも後方の解放位置との間で移動し得るスライダと、
前記スライダの復帰位置への保持、及びその保持解除を可能とされた保持手段とを備えており、
前記ムービングプレートは、その上縁から上方へ突出して前記復帰バネの一端部を後方から当接させるバネ受け部を有し、且つそのバネ受け部に対し、前記位置決め孔が形成されていて前記相手側コネクタの先端面を当接させる領域を、段差状に後退させた形態とされ、
前記相手側コネクタの先端面が前記ムービングプレートに当接した状態では、前記バネ受け部が、相手側コネクタにおける前記先端面と直角な上面に当接可能に対向し得る構成としたことを特徴とするコネクタ。
【請求項２】
前記保持手段は、前記相手側コネクタが正規嵌合するのに伴って前記スライダに対する保持状態を解除する構成とされていることを特徴とする請求項１記載のコネクタ。
【請求項３】
前記ハウジングには、前記相手側コネクタとの嵌合過程でロック解除位置へ弾性撓みするとともに、前記相手側コネクタが正規嵌合するのに伴ってロック位置へ弾性復帰してその相手側コネクタに対して離脱規制状態に係止されるロックアームが設けられ、
前記スライダには、復帰位置においてロック解除位置へ弾性撓みした前記ロックアームと係止することで前記スライダの解放位置への移動を規制し、前記ロックアームがロック位置へ弾性復帰することでそのロックアームから解離して前記スライダの解放位置への移動を許容する移動規制部が設けられていることを特徴とする請求項１又は請求項２記載のコネクタ。
【請求項４】
前記スライダには、そのスライダを解放位置から復帰位置側へ移動させるのに伴い、ロック位置の前記ロックアームに係止してそのロックアームをロック解除位置へ強制的に弾性撓みさせるロック解除片が設けられていることを特徴とする請求項３記載のコネクタ。
【発明の詳細な説明】
【０００１】
【発明の属する技術分野】
本発明は、ムービングプレートを備えたコネクタに関するものである。
【０００２】
【従来の技術】
ムービングプレートを備えたコネクタとしては、特開２００２−１５８１１公報に開示されているものがある。これは、ハウジングと雄端子金具とムービングプレートとを備えて構成され、ハウジングには、前方から相手側コネクタを嵌入させる嵌合凹部が設けられている。雄端子金具は、その前端のタブを嵌合凹部内で前方に突出させた状態でハウジング内に設けられる。ムービングプレートは、タブを貫通させる位置決め孔を有し、嵌合凹部内において位置決め孔をタブの前端部に嵌合させる初期位置と、この初期位置よりも後方であって位置決め孔をタブの基端部に嵌合させる嵌合位置との間で移動し得るようになっている。
【０００３】
相手側コネクタが未嵌合の状態では、ムービングプレートを初期位置に位置させることでタブの前端部を位置決めし、タブと相手側コネクタ内の雌端子金具との間で位置ずれが生じないようになっている。そして、相手側コネクタとの嵌合が進むのに伴い、初期位置のムービングプレートは相手側コネクタに押されて嵌合位置まで移動する。
【０００４】
【発明が解決しようとする課題】
上記のようなムービングプレートを備えたコネクタでは、嵌合状態からメンテナンスなどのために一旦相手側コネクタを離脱させた後、その相手側コネクタを再び嵌合することがある。この際、再嵌合の前に、タブを位置決めするために、嵌合位置にあるムービングプレートを初期位置まで引き戻さなければならない。ところが、嵌合位置のムービングプレートは嵌合凹部の奥側に位置していることから、このムービングプレートを手前側の初期位置まで引き戻すためには、手間のかかる煩わしい作業が必要であり、作業性が良くないという問題がある。
【０００５】
そこで、実開昭６３−１１８１８号公報に開示されているように、ハウジングとムービングプレートとの間に、相手側コネクタの嵌合に伴って付勢力が蓄勢される復帰バネを設けることが考えられている。このような復帰バネを設ければ、相手側コネクタを離脱させるのに伴い、復帰バネに蓄勢されている付勢力によって嵌合位置のムービングプレートが自動的に初期位置側へ移動する。
ところが、相手側コネクタの嵌合に伴って付勢力が蓄勢される形態の復帰バネでは、相手側コネクタが嵌合されている間、常時、弾性撓みさせられた状態のままとなるのであるが、この相手側コネクタとの嵌合状態は、通常、長期間継続されることから、復帰バネの弾性が低下してヘタリを生じることが懸念される。もし、復帰バネにヘタリが生じると、所望の付勢力が得られず、ムービングプレートを初期位置への復動させるという機能が確実に発揮されなくなる。
【０００６】
本願発明は上記事情に鑑みて創案され、復帰バネのヘタリを防止することを目的としている。
【０００７】
【課題を解決するための手段】
請求項１の発明は、前方から相手側コネクタを嵌入させる嵌合凹部を有するハウジングと、前端のタブを前記嵌合凹部内で前方に突出させた状態で前記ハウジング内に設けられた雄端子金具と、前記タブを貫通させる位置決め孔を有し、前記嵌合凹部内において前記位置決め孔を前記タブの前端部に嵌合させることでそのタブを位置決めする初期位置と、この初期位置よりも後方であって前記位置決め孔を前記タブの基端部に嵌合させる嵌合位置との間で前記嵌合凹部の左右両側面のガイド溝によって案内されつつ移動し得るように設けられたムービングプレートと、前記ムービングプレートを初期位置側へ付勢する復帰バネとを有し、前記相手側コネクタが嵌合する過程では、前記相手側コネクタが、前記復帰バネを弾性撓みさせつつ初期位置の前記ムービングプレートを嵌合位置へ押し動かし得るようになっているものにおいて、前記ムービングプレートが前記復帰バネの一端部に対し一体的に移動し得るように設けられ、前記復帰バネの他端部と一体となって、復帰位置とこの復帰位置よりも後方の解放位置との間で移動し得るスライダと、前記スライダの復帰位置への保持、及びその保持解除を可能とされた保持手段とを備えており、前記ムービングプレートは、その上縁から上方へ突出して前記復帰バネの一端部を後方から当接させるバネ受け部を有し、且つそのバネ受け部に対し、前記位置決め孔が形成されていて前記相手側コネクタの先端面を当接させる領域を、段差状に後退させた形態とされ、前記相手側コネクタの先端面が前記ムービングプレートに当接した状態では、前記バネ受け部が、相手側コネクタにおける前記先端面と直角な上面に当接可能に対向し得る構成とした。
【０００８】
請求項２の発明は、請求項１の発明において、前記保持手段は、前記相手側コネクタが正規嵌合するのに伴って前記スライダに対する保持状態を解除する構成とされている。
請求項３の発明は、請求項１又は請求項２の発明において、前記ハウジングには、前記相手側コネクタとの嵌合過程でロック解除位置へ弾性撓みするとともに、前記相手側コネクタが正規嵌合するのに伴ってロック位置へ弾性復帰してその相手側コネクタに対して離脱規制状態に係止されるロックアームが設けられ、前記スライダには、復帰位置においてロック解除位置へ弾性撓みした前記ロックアームと係止することで前記スライダの解放位置への移動を規制し、前記ロックアームがロック位置へ弾性復帰することでそのロックアームから解離して前記スライダの解放位置への移動を許容する移動規制部が設けられている構成とした。
【０００９】
請求項４の発明は、請求項３の発明において、前記スライダには、そのスライダを解放位置から復帰位置側へ移動させるのに伴い、ロック位置の前記ロックアームに係止してそのロックアームをロック解除位置へ強制的に弾性撓みさせるロック解除片が設けられている構成とした。
【００１０】
【発明の作用及び効果】
［請求項１の発明］
相手側コネクタが未嵌合であってスライダが復帰位置に保持された状態では、復帰バネの他端にスライダから前方への押圧力が付与されるため、復帰バネの弾性復元力によってムービングプレートは初期位置に移動している。
【００１１】
この状態から相手側コネクタが嵌合されてムービングプレート及び復帰バネの一端部が後方へ押し動かされると、その過程では、スライダは保持手段によって復帰位置に保持されたままであることから、復帰バネには弾性復元力が蓄勢される。
相手側コネクタが正規嵌合されてムービングプレートが嵌合位置に移動した状態で、復帰位置におけるスライダの保持状態が解除されると、スライダが解放位置へ移動するのに伴い、復帰バネに蓄勢された弾力が解放させる。
【００１２】
また、一旦相手側コネクタを離脱した後、再嵌合する際には、スライダを復帰位置へ移動させれば、復帰バネが弾力的にムービングプレートを押して嵌合位置から初期位置へ復帰させるので、タブをムービングプレートによって位置決めすることができる。
このように、相手側コネクタが正規嵌合してムービングプレートが嵌合位置に移動している状態では、復帰バネに蓄勢され付勢力が解放されるようになっているので、ヘタリを生じることはない。
【００１３】
［請求項２の発明］
相手側コネクタが正規嵌合状態に至ると、スライダの保持状態が解除されるため、スライダは復帰位置から解放位置へと自動的に移動し、復帰バネの蓄勢力が解放される。保持手段を解除するための作業を別途行う必要がないので、作業性がよい。
［請求項３の発明］
相手側コネクタが半嵌合であってロックアームがロック解除位置にある状態では、スライダは復帰位置に保持されたままである。ロックアームがロック位置に復帰して相手側コネクタを正規嵌合位置に離脱規制した状態では、スライダが復帰バネの弾性復元力によって復帰位置から解放位置へ移動する。これにより、スライダが解放位置に移動したか否かに基づいて相手側コネクタに対するロックアームのロック状態を検知することができる。
【００１４】
［請求項４の発明］
ロックアームが正規嵌合された相手側コネクタに対して離脱規制状態に係止している状態から、スライダを復帰位置側へ移動させると、相手側コネクタによって初期位置側への移動を規制されているムービングプレートと、復帰位置側へ移動するスライダとの間で復帰バネが付勢力を蓄勢される。そして、復帰バネに付勢力が蓄勢された状態から、スライダのロック解除片がロックアームをロック解除位置へ強制的に弾性撓みさせると、ムービングプレートが、復帰バネの付勢により初期位置側へ移動しつつ相手側コネクタを嵌合凹部の外に向けて押し動かす。スライダを解放位置から復帰位置側へ移動させることにより、復帰バネに付勢力を蓄勢させた状態で、ロックアームによるロックを解除するようにしたので、スライダをロック解除するだけで、ロックアームのロック解除と復帰バネによる雌側コネクタの押し戻し動作とが行われるようになり、作業性に優れている。
【００１５】
【発明の実施の形態】
［実施形態１］
以下、本発明を具体化した実施形態１を図１乃至図９を参照して説明する。
まず、本実施形態の雌側コネクタＦとの嵌合相手である雄側コネクタＭ（本発明の構成要件である相手側コネクタ）について説明する。雌側コネクタＦは、内部に雌端子金具１０を収容したものであり、その上面においては、その幅方向中央に押圧部１１が突成されているとともに、その押圧部１１の左右両側に前後方向に長いリブ状をなすロック突起１２が左右一対形成され、さらに、この一対のロック突起１２よりも幅方向外側には前後方向に細長い左右一対の保持解除リブ１３が突出形成されている。
【００１６】
次に、雄側コネクタＭについて説明する。雄側コネクタＭは、ハウジング２０、雄端子金具６０、スライダ３０、復帰バネ４０、及びムービングプレート５０を備えて構成されている。ハウジング２０には、前方から雌側コネクタＦを嵌入させるための嵌合凹部２１が形成されており、ハウジング２０内に収容された雄端子金具６０のタブ６１が、嵌合凹部２１内において前方へ突出されている。ハウジング２０の内部には、嵌合凹部２１の前端からハウジング２０の後端に至る収容空間２２が形成されている。この収容空間２２の略前半部分は嵌合凹部２１内に連通されており、収容空間２２の略後半部分は雄端子金具６０よりも上方に配されている。また、嵌合凹部２１の奥端部には、保持用係止部２３（本発明の構成要件である保持手段）が形成されている。
【００１７】
嵌合凹部２１の奥端部からは、前方へ片持ち状に延出する二股状のロックアーム２４が形成されている。このロックアーム２４は、常には、水平姿勢となるロック位置（図４及び図５を参照）を保っているが、上方のロック解除位置（図２及び図３を参照）へ弾性撓みし得るようになっている。また、ロックアーム２４の前端部には、左右一対の解除用突起２５が形成されている。さらに、ロックアーム２４の前端部における幅方向中央には、前止まり部２６が形成されている。尚、ハウジング２０の上面壁における後端部には、ロックアーム２４によるロックの解除操作を行うための切欠部２７が形成されている。
【００１８】
スライダ３０は、収容空間２２内に収容され、収容空間２２の左右両側面のガイド溝２２Ｇによって案内されつつ、前後方向（両コネクタＦ，Ｍの嵌合・離脱方向と平行な方向）への移動を可能とされている。スライダ３０の移動経路のうち前端位置は解除操作位置（図６を参照）とされ、後端位置は解放位置（図５を参照）とされ、解除操作位置よりも少し後方の位置は復帰位置（図１〜図４を参照）とされている。また、スライダ３０の解除操作位置を越えた前方への移動と、解放位置を越えた後方への移動は、嵌合凹部２１の前端上縁に形成した前ストッパ２１Ｓと、ガイド溝２２Ｇに形成した後ストッパ２２Ｓとによって規制されている。
【００１９】
スライダ３０の前端部には、ロック位置にあるロックアーム２４よりも上方に位置し、且つロックアーム２４がロック解除位置へ弾性撓みしたときにはそのロックアーム２４の前端部とほぼ同じ高さとなる移動規制部３１が形成されている。スライダ３０が復帰位置にあるときに、移動規制部３１は、ロック解除位置へ弾性撓みしたロックアーム２４の前端に対して前方から係止し、もって、スライダ３０の後方への移動が規制されるようになっている。また、この状態からロックアーム２４がロック位置へ弾性復帰すると、ロックアーム２４が移動規制部３１から解離するので、スライダ３０は解放位置側への移動を許容される。
【００２０】
また、スライダ３０には、スライダ３０が復帰位置にある状態でハウジング２０の保持用係止部２３に対して前方から係止する左右一対の撓み保持片３２（本発明の構成要件である保持手段）が、上方への弾性撓み可能に形成されており、この撓み保持片３２と保持用係止部２３との係止によってスライダ３０の後方への移動が規制されるようになっている。この状態から撓み保持片３２が保持用係止部２３から解離すべく上方へ弾性撓みすると、スライダ３０の解放位置側への移動が許容されるようになる。
【００２１】
さらに、スライダ３０には、スライダ３０が復帰位置にあり且つロックアーム２４がロック位置にある状態で、ロックアーム２４の解除用突起２５に対して後方から近接して対向する左右一対のロック解除片３３が形成されている。このロック解除片３３は、スライダ３０が復帰位置から解除操作位置へ前進するのに伴い、解除突起に当接してロックアーム２４をロック解除位置へ矯正適に弾性撓みさせるようになっている。
【００２２】
さらに、スライダ３０の内部には、軸線を前後方向に向けた圧縮コイルバネからなる復帰バネ４０が収容され、この復帰バネ４０の後端にはスライダ３０のバネ当て面３４が後方から当接されている。このバネ当て面３４は復帰バネ４０の後端と一体となって移動するようになっている。
ムービングプレート５０は、嵌合凹部２１内に収容され、嵌合凹部２１の左右両側面のガイド溝２１Ｇによって案内されつつ、初期位置（図１を参照）とこの初期位置よりも後方の嵌合位置（図４〜図６を参照）との間で前後方向（嵌合凹部２１に対する雌側コネクタＦの嵌合方向と平行な方向）へ移動可能となっている。ムービングプレート５０には、各タブ６１を貫通させる位置決め孔５１が形成されており、ムービングプレート５０が初期位置にある状態では、位置決め孔５１がタブ６１の前端部を嵌合させることにより、両コネクタＦ，Ｍの嵌合方向と直交する方向においてタブ６１の前端部を位置決めする。また、ムービングプレート５０が嵌合位置にある状態では、嵌合凹部２１の奥端面に当接するとともに、がタブ６１の基端部に位置決め孔５１を嵌合される状態となる。
【００２３】
かかるムービングプレート５０には、その幅方向中央部上縁から上方へ突出するバネ受け部５２が形成されている。このバネ受け部５２は、スライダ３０の設けた復帰バネ４０の前端に対して一体的に移動し得るように前方から当接されており、したがって、復帰バネ４０はスライダ３０のバネ当て面３４とバネ受け部５２との間で前後に挟まれた状態となる。また、ムービングプレート５０が初期位置にある状態では、バネ受け部５２がロックアーム２４の前止まり部２６に対して後方から係止するため、ムービングプレート５０が初期位置よりも前方へ移動することが規制される。また、両コネクタＦ，Ｍの嵌合過程では、雌側コネクタＦとその押圧部１１とがムービングプレート５０とそのバネ受け部５２とをその前方から押圧するようになっている。
【００２４】
次に、本実施形態の作用を説明する。
雌側コネクタＦが嵌合されていないとき、雄側コネクタＭのスライダ３０は、その撓み保持片３２を保持用係止部２３に係止させることにより復帰位置に保持されて後方への移動を規制されているとともに、ムービングプレート５０は、バネ受け部５２をロックアーム２４の前止まり部２６に係止させることにより初期位置に保持されて前方への移動を規制されている。尚、この状態では、復帰バネ４０は初期バネ力を蓄勢された状態となっている。
【００２５】
この状態から雌側コネクタＦを嵌合凹部２１内に嵌合させると、雌側コネクタＦの前端面がムービングプレート５０に当接するとともに押圧部１１がバネ受け部５２に当接し、この後、図２に示すように、雌側コネクタＦの嵌合が進むのに伴ってムービングプレート５０が後方へ押し動かされるとともに、ロックアーム２４がロック突起１２に乗り上がってロック解除位置へ弾性撓みする。この間、スライダ３０は、図３に示すように、弾性撓みしたロックアーム２４に対する移動規制部３１の係止、及び保持用係止部２３に対する撓み保持片３２の係止により後方への移動を規制されているので、係止バネ受け部５２が後退するのに伴って復帰バネ４０が弾縮し、その復帰バネ４０には付勢力が蓄勢される。
【００２６】
この両コネクタＦ，Ｍが正規嵌合に至る手前で嵌合動作を中断した場合には、復帰バネ４０に蓄勢された弾力により、ムービングプレート５０及びバネ受け部５２が雌側コネクタＦを嵌合凹部２１から離脱させるように押し返す。この雌側コネクタＦが嵌合凹部２１外へ押し戻される動作により、両コネクタＦ，Ｍが半嵌合状態であったことが判る。
さて、両コネクタＦ，Ｍの嵌合が正規嵌合の直前まで進められると、撓み規制片が雌側コネクタＦの保持解除リブ１３により弾性撓みさせられて保持用係止部２３から解離するため、この撓み保持片３２と保持用係止部２３との係止によるスライダ３０の保持状態が解除される。この直後、両コネクタＦ，Ｍが正規の嵌合状態に至ると、ロックアーム２４がロック突起１２を通過してロック位置へ弾性復帰し、ロックアーム２４がロック突起１２に係止した状態となる。これにより、両コネクタＦ，Ｍが離脱規制された正規嵌合状態にロックされる（図４を参照）。
【００２７】
また、ロックアーム２４がロック位置に弾性復帰すると、ロックアーム２４と移動規制部３１との係止によるスライダ３０の保持状態（移動規制状態）が解除されるので、スライダ３０は、復帰バネ４０に蓄勢された付勢力により復帰位置から後方の解放位置へと移動する（図５を参照）。また、スライダ３０が解放位置へ移動するのに伴い、復帰バネ４０に蓄勢された付勢力は解放される。
さらに、スライダ３０が解放位置に移動した状態では、移動規制部３１がロックアーム２４の前端部に対して上から押さえ付けるように位置するので、ロックアーム２４のロック解除位置への弾性撓み、即ちロックアーム２４のロック突起１２からの解離が規制される。これにより、ロックアーム２４によるロック機能の信頼性向上が図られている。また、スライダ３０が解放位置に移動した状態では、スライダ３０の後端部が切欠部２７において外部に露出される。
【００２８】
尚、両コネクタＦ，Ｍが正規嵌合状態に至ってムービングプレート５０が嵌合位置まで押し動かされても、その両コネクタＦ，Ｍの嵌合が僅かに浅い場合には、ロックアーム２４がロック突起１２に乗り上がったままとなってロック位置に弾性復帰しないことがある。この場合には、移動規制部３１がロック解除位置のロックアーム２４に対して前方から係止した状態のままなので、スライダ３０は解放位置へ移動することができず、復帰位置に留まったままとなる。
【００２９】
さて、両コネクタＦ，Ｍが正規嵌合されてロックアーム２４によりロックされた状態から両コネクタＦ，Ｍを離脱させる際には、ハウジング２０の切欠部２７に露出しているスライダ３０を前方へ押し操作し、復帰位置を経て、解除操作位置まで移動させる。すると、図６に示すように、復帰位置を通過したところでスライダ３０のロック解除片３３がロックアーム２４をロック解除位置へ強制的に弾性撓みさせ、ロック突起１２から解離させるので、ロックアーム２４による両コネクタＦ，Ｍのロック状態が解除される。尚、このとき、移動規制部３１はロックアーム２４よりも前方位置へ移動しているので、移動規制部３１がロックアーム２４の弾性撓み動作を妨げることはない。また、ロックアーム２４によるロックが解除されるまでの間、ムービングプレート５０は雌側コネクタＦによって嵌合位置に保持されたままであるから、スライダ３０を解除操作位置へ移動させるのに伴って、復帰バネ４０には付勢力が蓄勢される。したがって、スライダ３０がロックアーム２４のロックを解除すると同士に、ムービングプレート５０が、復帰バネ４０の付勢により雌側コネクタＦを嵌合凹部２１の外へ押し出しつつ、初期位置へ復動する。
【００３０】
雌側コネクタＦが離脱させた後は、スライダ３０から手を離すと、復帰バネ４０の付勢によってスライダ３０が後方へ移動し、そのスライダ３０が復帰位置に達すると、撓み保持片３２が保持用係止部２３に係止することによりスライダ３０は復帰位置に保持される。以上により、スライダ３０、ムービングプレート５０、及び復帰バネ４０は、いずれも、雌側コネクタＦを嵌合する前の状態に復帰する。
【００３１】
上述のように本実施形態においては、復帰バネ４０をムービングプレート５０とスライダ３０との間で挟み、両コネクタＦ，Ｍが正規嵌合された状態では、スライダ３０がムービングプレート５０から離間すべく解放位置へ移動するようにしたので、両コネクタＦ，Ｍが正規嵌合してムービングプレート５０が嵌合位置に移動した状態では、復帰バネ４０の蓄勢力が解放される。したがって、復帰バネ４０にヘタリを生じることはない。
【００３２】
また、両コネクタＦ，Ｍが正規嵌合するのに伴ってスライダ３０を復帰位置に保持する状態が解除され、スライダ３０は復帰位置から解放位置へと自動的に移動するようになっている。したがって、両コネクタＦ，Ｍの嵌合作業とは別個に、スライダ３０の保持を解除するための作業を行う必要がないので、作業性に優れている。
また、両コネクタＦ，Ｍが半嵌合でロックアーム２４がロック解除位置にある状態ではスライダ３０が復帰位置に保持されたままであり、両コネクタＦ，Ｍが正規嵌合してロックアーム２４がロック位置に弾性復帰した状態では、スライダ３０が復帰バネ４０の弾性復元力によって復帰位置から解放位置へ移動するようになっているので、スライダ３０が解放位置に移動したか否かに基づいてロックアーム２４のロック状態を検知することができる。
【００３３】
また、スライダ３０を解放位置から復帰位置側へ移動させることにより、復帰バネ４０に付勢力を蓄勢させた状態で、ロックアーム２４によるロックを解除するようにした。即ち、スライダ３０をロック解除するだけで、ロックアーム２４のロック解除動作と、復帰バネ４０による雌側コネクタＦの押し戻し動作とが自動的に行われるようになっているので、作業性に優れている。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３４】
（１）上記実施形態では復帰バネを圧縮コイルバネとしたが、本発明によれば、復帰バネは引張りコイルバネでもよい。この場合、引張りコイルバネはムービングプレートよりも前方に配される。
（２）上記実施形態では相手側コネクタが正規嵌合されると、復帰位置におけるスライダの保持状態が解除されるようしたが、本発明によれば、スライダの復帰位置への保持状態を、手動操作によって解除するようにしてもよい。
【００３５】
（３）上記実施形態ではロックアームの動きに連動して復帰位置におけるスライダの保持と保持解除とが行われるようにしたが、本発明によれば、ロックアームの動きとは連動せずにスライダのロックが解除されるようにしてもよい。
【図面の簡単な説明】
【図１】実施形態１において相手側コネクタが嵌合する前の状態をあらわす断面図
【図２】相手側コネクタの嵌合途中において、（Ａ）はロックアームの状態をあらわす断面図、（Ｂ）はムービングプレートとスライダの状態をあらわす断面図
【図３】相手側コネクタの嵌合途中においてスライダが復帰位置に保持されている状態をあらわす断面図
【図４】相手側コネクタが正規嵌合されてスライダの保持が解除された状態をあらわす断面図
【図５】相手側コネクタが正規嵌合された状態において、（Ａ）はロックアームの状態をあらわす断面図、（Ｂ）は復帰バネが解放された状態をあらわす断面図
【図６】相手側コネクタが正規嵌合された状態においてスライダの操作によりロックアームのロックが解除された様子をあらわす断面図
【図７】正面図
【図８】相手側コネクタの正面図
【図９】相手側コネクタの平面図
【符号の説明】
Ｆ…雌側コネクタ（相手側コネクタ）
Ｍ…雄側コネクタ（コネクタ）
２０…ハウジング
２１…嵌合凹部
２３…保持用係止部（保持手段）
２４…ロックアーム
３０…スライダ
３１…移動規制部
３２…撓み保持片（保持手段）
３３…ロック解除片
４０…復帰バネ
５０…ムービングプレート
５１…位置決め孔
６０…雄端子金具
６１…タブ
【図１】
0003783850.tif 000002
【図２】
0003783850.tif 000003
【図３】
0003783850.tif 000004
【図４】
0003783850.tif 000005
【図５】
0003783850.tif 000006
【図６】
0003783850.tif 000007
【図７】
0003783850.tif 000008
【図８】
0003783850.tif 000009
【図９】
0003783850.tif 000010